(57)【要約】【課題】本発明は、床の衝撃音や生活音が問題視されている、それらを解消し耐荷重性や歩行感を良好に保つ、外周を固定したボールト付防振材と防振工法を提供。【解決手段】60ｍｍΦの溝凹部３を設けた束石成型型枠１３を固定基材として、ボールト付防振材１を載せボールト付防振材１の外周を束石成型型枠１３に固定座金１６を用いてビス１７で固定し、束石成型型枠１３内にモルタル１５を充填凝固させてボールト付防振材束石２となし、地盤やコンクリートスラブなどの基盤上にモルタル１５を用いて複数のボールト付防振材束石２を据え置き固定する。そのボールト付防振材束石２にターンバックル１１と床受け材固定金物１２を用いて調整が可能な床束とし、床受け材固定金物１２に床受け材６をビス１７で固定して、根太７をもって根太組みをして床板８で仕上げることにより安価且つ容易に調整が可能な防振床が構築できる。【選択図】  図６
2011106088.tif 000002
【特許請求の範囲】
【請求項１】
外周を固定したボールト付防振材と防振工法であって、
梁材や大引き材あるいは束石などからなる固定基材に溝凹部を設け、溝凹部の上にボールト付防振材を載せてボールト付防振材の外周を固定基材に固定し、床受け材を介在した床の防振・防音効果を高めることを特徴とする外周を固定したボールト付防振材と防振工法。
【請求項２】
前記梁材や大引き材などからなる固定基材に複数の溝凹部を設け、複数の溝凹部の上にボールト付防振材を載せてボールト付防振材の外周を固定基材に固定した、複数のボールト付防振材をもって成る床受け材を介在した床の防振・防音効果を高めることを特徴とする請求項１記載の外周を固定したボールト付防振材と防振工法。
【請求項３】
前記ボールト付防振材にロングナットと床受け材固定金物を用いて、請求項１、２記載の固定基材と床受け材間の微調整を可能にしたことを特徴とする請求項１、２記載の外周を固定したボールト付防振材と防振工法。
【請求項４】
前記ボールト付防振材にターンバックルと床受け材固定金物を用いて、請求項１、２記載の固定基材と床受け材間の調整を可能にしたことを特徴とする請求項１〜３記載の外周を固定したボールト付防振材と防振工法。
【請求項５】
溝凹部を設けた束石成型型枠を固定基材としてボールト付防振材を載せてボールト付防振材の外周を束石成型型枠に固定し、束石成型型枠内にコンクリート又はモルタルを充填凝固させてボールト付防振材束石とすることを特徴とする請求項１〜４記載の外周を固定したボールト付防振材と防振工法。
【発明の詳細な説明】
【技術分野】
【０００１】
本発明は、外周を固定したボールト付防振材と防振工法に関するものである。
【背景技術】
【０００２】
現在、木造住宅の直上階の生活音の遮断は、階下の天井を支える吊木に防振吊木を用いた防音対策や遮音シートなどが用いられた防音対策が取られている。また、集合住宅等においても床下配管ができ、施工性がよいことから急速に二重床が普及している。この二重床は、例えば、床基材が板状材料や根太材などの下面の複数個所から支持脚を突設して構成され、この支持脚をコンクリートスラブ等の床基盤に載置することで複数隣合うようにして敷設されることで構成してある。そして、このような構造の二重床においては、支持脚の下端に防振ゴムなどを設けて床衝撃に対する防音性を確保するようにしている。
【０００３】
しかしながら、上記、木造住宅における防音対策も集合住宅等における防振ゴム等の遮音対策も十分なものではない、しかも、作業性も悪くコンクリートスラブ等の床基盤への完全な固定が困難であった。
【０００４】
他方、板状材料や根太材あるいは支持脚などからなる床基材とコンクリートスラブのような床基盤との間に介在される弾性体の内部に筒状の密閉空間を形成した床防振装置(特許公開２０００−１６０８１９)があるが、これらにしてもコンクリートスラブ等の床基盤への完全な固定は困難である。
【０００５】
なお、本願発明に関連する公知技術として、床防振装置及び床防振装置を備えた防音二重床（特許文献１参照）を挙げることができる。
【０００６】
【特許文献１】特許公開２０００−１６０８１９
【発明の開示】
【発明が解決しようとする課題】
【０００７】
上述した従来技術に係る直上階の生活音の遮断や防音対策には次の問題があった。
木造住宅などの梁と床組み間の防振接続は困難である。
木造住宅などの梁と床組み間の防振装置にはコストが掛かる。
直上階の生活音の遮断や防音対策にはコストが掛かる。
束石ブロックと束の完全な防振接続は困難である。
【０００８】
本発明は、上記の従来の問題点に鑑みて発明したものであって、床衝撃音や直上階の生活音を安価且つ容易に解消し、書棚やピアノ等の重量物に対する耐荷重性や歩行感が良好に保てる外周を固定したボールト付防振材と防振工法を提供する。
【課題を解決するための手段】
【０００９】
本発明は、上記の課題を解決するためになされたもので、請求項１記載の、外周を固定したボールト付防振材と防振工法であって、梁材や大引き材あるいは束石などからなる固定基材に溝凹部を設け、溝凹部の上にボールト付防振材を載せてボールト付防振材の外周を固定基材に固定し、床受け材を介在した床の防振・防音効果を高めることを特徴とする外周を固定したボールト付防振材と防振工法を提供する。
【００１０】
請求項２記載の、前記梁材や大引き材などからなる固定基材に複数の溝凹部を設け、複数の溝凹部の上にボールト付防振材を載せてボールト付防振材の外周を固定基材に固定した、複数のボールト付防振材をもって成る床受け材を介在した床の防振・防音効果を高めることを特徴とする請求項１記載の外周を固定したボールト付防振材と防振工法を提供する。
【００１１】
請求項３記載の、前記ボールト付防振材にロングナットと床受け材固定金物を用いて、請求項１、２記載の固定基材と床受け材間の微調整を可能にしたことを特徴とする請求項１、２記載の外周を固定したボールト付防振材と防振工法を提供する。
【００１２】
請求項４記載の、前記ボールト付防振材にターンバックルと床受け材固定金物を用いて、請求項１、２記載の固定基材と床受け材間の調整を可能にしたことを特徴とする請求項１〜３記載の外周を固定したボールト付防振材と防振工法を提供する。
【００１３】
請求項５記載の、溝凹部を設けた束石成型型枠を固定基材としてボールト付防振材を載せてボールト付防振材の外周を束石成型型枠に固定し、束石成型型枠内にコンクリート又はモルタルを充填凝固させてボールト付防振材束石とすることを特徴とする請求項１〜４記載の外周を固定したボールト付防振材と防振工法を提供する。
【発明の効果】
【００１４】
本発明の特筆すべき最大の効果は、今日、産業廃棄物として排出され続けられている自動車社会の負の遺産である廃タイヤが、本発明のボールト付防振材に有効利用できることにあり、今後も造り続けられる耐用年数の長い長期優良住宅に有効利用できる効果は大きい。他方、産業廃棄物の廃タイヤを有効利用することで地球温暖化防止に多大に貢献する効果もある。
【００１５】
請求項１に係る発明によれば、梁材や大引き材あるいは束石などからなる固定基材に溝凹部を設け、溝凹部の上にボールト付防振材を載せてボールト付防振材の外周を固定基材に固定することで、ボールトに掛かる荷重は全て防振材が受け止めることになり、安価且つ容易に床の防振・防音効果を高める効果がある。
【００１６】
請求項２に係る発明によれば、前記梁材や大引き材などからなる固定基材に複数の溝凹部を設け、複数の溝凹部の上にボールト付防振材を載せてボールト付防振材の外周を固定基材に固定し、複数のボールト付防振材に荷重を分散させることで、床の防振・防音効果をより高めることができる。
【００１７】
請求項３に係る発明によれば、前記ボールト付防振材にロングナットと床受け材固定金物を用いることで、固定基材と床受け材間の微調整を可能にする効果がある。
【００１８】
請求項４に係る発明によれば、前記ボールト付防振材にターンバックルと床受け材固定金物を用いることで、固定基材と床受け材間の調整を可能にする効果がある。
【００１９】
請求項４に係る発明によれば、溝凹部を設けた束石成型型枠を固定基材としてボールト付防振材を載せてボールト付防振材の外周を束石成型型枠に固定し、束石成型型枠内にコンクリート又はモルタルを充填凝固させてボールト付防振材束石とすることにより、コンクリート又はモルタルは現場で充填できる効果と束石成型型枠は容易に切断して使用することもできる。
【００２０】
また、本発明のボールト付防振材の防振材は、今日の自動車社会の負の遺産である廃タイヤが耐用年数や強度等から見ても最適であることから、地球温暖化時代にふさわしい地球環境に優しい廃タイヤの再利用が可能であり、産業廃棄物の有効利用で社会貢献ができる効果もある。
【００２１】
現在、日本の住宅も多世代が居住できる長期優良住宅(200年住宅)の普及促進に関する法律が施行され、耐用年数の長い長期優良住宅を普及する時代が来た。この住宅の床も床を支える防振材も防振工法も耐用年数が長いものが要求される。その耐用年数の長さを考えても廃タイヤの再利用は適材である。
【００２２】
以上、本発明の効果を説明したが、説明の中で廃タイヤの再利用を強調したが、今日の人間社会において産業廃棄物の排出は止めることはできない。その産業廃棄物を如何に有効利用できるかが大切であり、本発明のボールト付防振材に廃タイヤが再利用できることは大きな成果であり大きな効果である。しかしながら廃タイヤの再利用は一つの提案に過ぎない。
【発明を実施するための最良の形態】
【００２３】
以下、本発明の実施の形態を図面に基づき詳細に説明する。
【００２４】
図１〜図１３は本発明の実施の形態に係り、図１はボールト付防振材の詳細図、図２は木製梁に用いたボールト付防振材の断面図、図３は木製梁に用いたボールト付防振材の側面図、図４は微調整可能な床束防振工法の断面図、図５は微調整可能な床束防振工法の側面図、図６は調整可能な床束防振工法の断面図、図７は調整可能な床束防振工法の側面図、図８は打ち込み型枠に用いた微調整が可能な床束防振工法の断面図、図９は打ち込み型枠に用いた微調整が可能な床束防振工法の側面図である。
【００２５】
本発明の図面について説明をすれば、図１は、ボールト付防振材１の構成を示したもので、複数の穴２０を開けた100ｍｍ角程度の防振材９と防振材９にボールト１８を取付けたボールト付防振材１を示した詳細図、さらに、梁材４や束石成型型枠１３などを基盤に、強固に取付け固定するための固定座金１６を示した詳細図で、固定座金１６には中央に防振効果を高めるための60ｍｍ程度の穴２０と複数の穴２０を開けてビス１７で固定できるように加工している。
【００２６】
図２は、図１に示したボールト付防振材１を梁材４の梁上に溝凹部３を設けて、溝凹部３上にボールト付防振材１を固定座金１６とビス１７を用いて、強固に取付け固定をしてボールト付防振材１のボールト１８に床受け材６を差込みナット１９で締付け固定してある。その床受け材６の上に根太７組みをして床板８で仕上げた防振工法の断面図である。
【００２７】
図３は、図２に示した防振工法の側面図である。
【００２８】
図４は、溝凹部３を設けた束石成型型枠１３を固定基材としてボールト付防振材１を載せてボールト付防振材１の外周を束石成型型枠１３に固定座金１６を用いてビス１７で固定し、束石成型型枠１３内にモルタル１５を充填凝固させてボールト付防振材束石２を構成し、ロングナット１０と床受け材固定金物１２を用いて微調整が可能な床束とした、また、ボールト付防振材束石２については土間にモルタル１５を用いてボールト付防振材束石２を据え置きコンクリート１４で土間を仕上げている。床組みの構成については床受け材固定金物１２に床受け材６をビス１７で固定して、根太７をもって根太組みをして床板８で仕上げた断面図である。
【００２９】
図５は、図４に示した防振工法の側面図である。
【００３０】
図６は、溝凹部３を設けた束石成型型枠１３を固定基材としてボールト付防振材１を載せてボールト付防振材１の外周を束石成型型枠１３に固定座金１６を用いてビス１７で固定し、束石成型型枠１３内にモルタル１５を充填凝固させてボールト付防振材束石２を構成し、ターンバックル１１と床受け材固定金物１２を用いて調整が可能な床束とした、また、ボールト付防振材束石２については土間にモルタル１５を用いてボールト付防振材束石２を据え置きコンクリート１４で土間を仕上げている。床組みの構成については床受け材固定金物１２に床受け材６をビス１７で固定して、根太７をもって根太組みをして床板８で仕上げた断面図である。
【００３１】
図７は、図６に示した防振工法の側面図である。
【００３２】
図８は、溝凹部３を設けた束石成型型枠１３を固定基材としてボールト付防振材１を載せてボールト付防振材１の外周を束石成型型枠１３に固定座金１６を用いてビス１７で固定し、束石成型型枠１３内にモルタル１５を充填凝固させてボールト付防振材束石２を構成し、ロングナット１０と床受け材固定金物１２を用いて微調整が可能な床束とした、また、ボールト付防振材束石２については、化粧打ち込み型枠２１の上に据え置きコンクリート１４を打設してスラブを仕上げている。床組みの構成については床受け材固定金物１２に床受け材６をビス１７で固定して、直接に床板８で仕上げた断面図である。
【００３３】
図９は、図８に示した防振工法の側面図である。
【実施例】
【００３４】
実施例その１、木造住宅の2階床組みの防振工法について実施例を説明する。図２に示すように、梁材４の梁上に900ｍｍ間隔に60ｍｍΦの溝凹部３を設けて、それら溝凹部３の上に、図１に示した、複数の穴２０を開けた100ｍｍ角の防振材９にボールト１８を取付けたボールト付防振材１を固定座金１６とビス１７を用いて、強固に取付け固定をしてボールト付防振材１のボールト１８に床受け材６を差込みナット１９で締付け固定して成る床受け材６の上に根太７組みして床板８で仕上げることにより安価且つ容易に防振床が構築できる。
【００３５】
実施例その２、地盤やコンクリートスラブなどを基盤とした床組みの防振工法について実施例を説明する。図４に示すように、60ｍｍΦの溝凹部３を設けた束石成型型枠１３を固定基材として、ボールト付防振材１を載せボールト付防振材１の外周を束石成型型枠１３に固定座金１６を用いてビス１７で固定し、束石成型型枠１３内にモルタル１５を充填凝固させてボールト付防振材束石２となし、地盤やコンクリートスラブなどの基盤上にモルタル１５を用いて複数のボールト付防振材束石２を据え置き固定する。そのボールト付防振材束石２にロングナット１０と床受け材固定金物１２を用いて微調整が可能な床束とし、床受け材固定金物１２に床受け材６をビス１７で固定して、根太７をもって根太組みをして床板８で仕上げることにより安価且つ容易に微調整が可能な防振床が構築できる。
【００３６】
実施例その３、地盤やコンクリートスラブなどを基盤とした高床組みの防振工法について実施例を説明する。図６に示すように、60ｍｍΦの溝凹部３を設けた束石成型型枠１３を固定基材として、ボールト付防振材１を載せボールト付防振材１の外周を束石成型型枠１３に固定座金１６を用いてビス１７で固定し、束石成型型枠１３内にモルタル１５を充填凝固させてボールト付防振材束石２となし、地盤やコンクリートスラブなどの基盤上にモルタル１５を用いて複数のボールト付防振材束石２を据え置き固定する。そのボールト付防振材束石２にターンバックル１１と床受け材固定金物１２を用いて調整が可能な床束とし、床受け材固定金物１２に床受け材６をビス１７で固定して、根太７をもって根太組みをして床板８で仕上げることにより安価且つ容易に調整が可能な防振床が構築できる。
【００３７】
実施例その４、鉄筋コンクリート造の打ち込み型枠を基盤とした床組みの防振工法について実施例を説明する。図８に示すように、60ｍｍΦの溝凹部３を設けた束石成型型枠１３を固定基材として、ボールト付防振材１を載せボールト付防振材１の外周を束石成型型枠１３に固定座金１６を用いてビス１７で固定し、束石成型型枠１３内にモルタル１５を充填凝固させてボールト付防振材束石２となし、打ち込み型枠の基盤上に複数のボールト付防振材束石２を据え置き、コンクリート１４の打設凝固で固定したボールト付防振材束石２に、ロングナット１０と床受け材固定金物１２を用いて微調整が可能な床束とし、床受け材固定金物１２に床受け材６をビス１７で固定して床板８で仕上げることにより安価且つ容易に微調整が可能な防振床が構築できる。
【００３８】
上記した防振材９は自動車社会の負の遺産であり、電気自動車社会になっても排出され続けられる、産業廃棄物である廃タイヤ２２を有効利用し続けられる仕組を構築する意味からも、廃タイヤ２２を防振材９に有効利用することが望ましい。例えば一般の普通自動車が排出する４本の廃タイヤ２２を100ｍｍ角に切断すれば、85枚〜170枚の防振材９が取れることになる。これは一棟から二棟の一般住宅が消費できる防振材９であり、廃タイヤ２２を有効利用し続ける仕組が構築できる。しかも住宅の生活音を解消する防振工法に廃タイヤ２２が有効利用できれば産業廃棄物処理で社会貢献ができる。
【００３９】
以上、本発明の実施の形態及び実施例を説明したが、本発明の範囲はこれに限定されるものではない。例えば、防振材について廃タイヤの再利用を強調してきたが、材質や寸法を限定するものではなく使用目的に応じて変更するなど適宜選択されるものである。
【産業上の利用可能性】
【００４０】
産業廃棄物処理が問題視されているなかで、自動車社会の負の遺産である廃タイヤ２２は防振材９として住宅産業に利用できる。その住宅産業の市場は巨大であり、安価な防振材９の需要は多大である。
【図面の簡単な説明】
【００４１】
【図１】ボールト付防振材の詳細図
【図２】木製梁に用いたボールト付防振材の断面図
【図３】木製梁に用いたボールト付防振材の側面図
【図４】微調整可能な床束防振工法の断面図
【図５】微調整可能な床束防振工法の側面図
【図６】調整可能な床束防振工法の断面図
【図７】調整可能な床束防振工法の側面図
【図８】打ち込み型枠に用いた微調整が可能な床束防振工法の断面図
【図９】打ち込み型枠に用いた微調整が可能な床束防振工法の側面図
【符号の説明】
【００４２】
ボールト付防振材
ボールト付防振材束石
溝凹部
梁材
大引き材
床受け材
根太
床板
防振材
ロングナット
ターンバックル
床受け材固定金物
束石成型型枠
コンクリート
モルタル
固定座金
ビス
ボールト
ナット
穴
化粧打ち込み型枠
廃タイヤ
【図１】
2011106088.tif 000003
【図２】
2011106088.tif 000004
【図３】
2011106088.tif 000005
【図４】
2011106088.tif 000006
【図５】
2011106088.tif 000007
【図６】
2011106088.tif 000008
【図７】
2011106088.tif 000009
【図８】
2011106088.tif 000010
【図９】
2011106088.tif 000011